(57)【要約】【課題】グローブ着脱における作業性に優れ、部品構成も簡素であり、部品の影がグローブの側面に生じることもないグローブ着脱構造を提供する。【解決手段】器具本体２の一方の長辺側には着脱側の係止手段が設けられ、他方の長辺部分には吊持側の係止手段が設けられる。吊持側係止具６は、器具本体２の周縁壁部２３から内側に向かって張り出す載置段部６２と、その先端から斜め下方に傾斜する斜降部６３と、斜降部６３の先端を上方に折り返してなる抜け止め部６４とを備える。この吊持側係止具６に、グローブ３の吊持側被係止具７に設けられた係止用開口部７１が係止され、グローブ３の取着状態では吊持側被係止具７が吊持側係止具６の載置段部６２上に支承され、グローブ３の吊持状態では、吊持側被係止具７が吊持側係止具６の抜け止め部６４に係止される。【選択図】図９
2006079945.tif 000002
【特許請求の範囲】
【請求項１】
器具本体が、天井面に沿って固定される平面視略長矩形の上底板と、上底板の四周から垂下する周縁壁部とを備え、
上記器具本体の下側から上記器具本体に取着されるグローブが、上面側開口の四周から立ち上がって上記周縁壁部の内側に挿入される開口縁部を備え、
器具本体の一方の長辺側周縁壁部に取り付けられた着脱側係止具に、グローブの一方の長辺側開口縁部に設けられた着脱側被係止具が係脱可能に係止されるとともに、
器具本体の他方の長辺側周縁壁部に取り付けられた吊持側係止具に、グローブの他方の長辺側開口縁部に設けられた吊持側被係止具が、係脱可能かつ吊持可能に係止されるグローブ着脱構造であって、
上記吊持側係止具は、器具本体の周縁壁部から器具本体の内側に向かって略水平に張り出す載置段部と、載置段部の先端から斜め下方に傾斜する斜降部と、斜降部の先端を上方に折り返してなる抜け止め部とを備え、グローブの吊持側被係止具に設けられた係止用開口部が上記吊持側係止具に係止されて、グローブを器具本体に取着した状態では、グローブの吊持側被係止具が吊持側係止具の載置段部上に支承され、グローブを器具本体から吊持する状態では、吊持側被係止具が吊持側係止具の抜け止め部に係止されることを特徴とする照明器具のグローブ着脱構造。
【請求項２】
着脱側係止具は、器具本体の側方に向けて突出する略鉤形の係止爪を備え、器具本体の側方からのレバー操作によって上記係止爪を器具本体の中心側に後退させ得るように、器具本体の上底部に沿って付勢状態で取り付けられたことを特徴とする請求項１に記載の照明器具のグローブ着脱構造。
【請求項３】
吊持側係止具の最下端が、器具本体に装着される直管蛍光灯ランプの軸心とグローブの側面最上部とを通る仮想平面よりも上方に位置することを特徴とする請求項１に記載の照明器具のグローブ着脱構造。
【発明の詳細な説明】
【技術分野】
【０００１】
本発明は、照明器具のグローブ着脱構造に関し、特に、直管蛍光灯ランプを光源とする細長い形状の照明器具に好適なグローブ着脱構造に関する。
【背景技術】
【０００２】
住宅等の天井に設置される照明器具のうち、光源に直管蛍光灯ランプを使用し、その下側に透光性のグローブ（樹脂製カバー）を着脱自在に取り付けるタイプの照明器具に関するグローブ着脱構造が、例えば特許文献１に開示されている。
【０００３】
図１０〜図１４は、上記文献中に第４実施形態として記載されたグローブ着脱構造を示す。９１は天井面に固定される照明器具本体、９２は器具本体９１に装備される直管蛍光灯ランプ、９３はグローブで、器具本体９１は、その周縁に周縁壁部９１ａを有する。グローブ９３は、周縁壁部９１ａの内に挿入される角形の開口部９３ｂと、この開口部９３ｂの外側方に突出形成される外鍔状部９３ａと、この外鍔状部９３ａに連続する透光面部９３ｃとを有する。
【０００４】
図１１において、９４は器具本体９１の一方の長辺側周縁壁部９１ａに取り付けられたスライド式の係合具、９５はグローブ９３の一方の長辺側開口部９３ｂに取り付けられた係止具である。係合具９４は、下方に垂下する略鉤形の係止部９４ｂを有し、周縁壁部９１ａの内面に沿って移動可能なように取付けられる。係止具９５には角穴の被係止部９５ａが設けられ、この被係止部９５ａに係止部９４ｂが引っ掛かることでグローブ９３が保持される。係合具９４の側方には操作部９４ａが突設されて、周縁壁部９１ａに設けた開口から突出している。この操作部９４ａを操作して係合具９４を長辺方向にスライドさせることにより、係止部９４ｂと被係止部９５ａとを係脱させることができる。
【０００５】
図１２において、９６ａ、９６ｂは、器具本体９１及びグローブ９３の他方の長辺側に設けられた引掛け金具である。一方の引掛け金具９６ａは、グローブ９３の開口部９３ｂに固定された受け具９６ｃに取付けられ、他方の引掛け金具９６ｂは器具本体９１側に取付けられている。そして、上記両引掛け金具９６ａ、９６ｂが、線材や板材等からなる連結材９６ｄの両端に軸着されて、連結材９６ｄに対し回動自在に保持される。
【０００６】
図１０の状態から係合具９４の操作部９４ａを操作して、器具本体９１及びグローブ９３の一方の長辺側の係合状態を解除すると、図１３〜図１４に示すように、引掛け金具９６ａ、９６ｂと連結材９６ｄは蝶番のように動作して、グローブ９３が仮吊り状態となる。この状態で、ランプ９２を交換することができる。
【０００７】
図１５〜図１８は、同じく上記文献中に第５実施形態として記載されたグローブ着脱構造を示す。器具本体９１及びグローブ９３の一方の長辺側を係脱する係合具９４と係止具９５は、上記実施形態と同様である。他方の長辺側は、器具本体９１側に取り付けられた保持金具９７と、グローブ９３側に取り付けられた受金具９８とによって係脱されるとともに、仮吊用線材９９によって連結される。保持金具９７は、図１８に示すように、水平部９７ａと、これに連続し下方へ傾斜する傾斜部９７ｂとからなる。受金具９８には、保持金具９７を挿入可能な開口部９８ａが設けてある。仮吊用線材９９は、一端が受金具９８に着脱自在に取付けられ、他端が器具本体９１に固定される。
【０００８】
グローブ９３を取り付ける際には、まず保持金具９７を受金具９８の開口部９８ａに挿入させるようにグローブ９３を器具本体９１の周縁壁部９１ａに近づける。このとき、開口部９８ａが水平部９７ａに位置することで、受金具９８が保持金具９７に支持される。その後、反対側の長辺を、係合具９４と係止具９５により係合させる。グローブ９３を外す際には、係合具９４と係止具９５の係合状態を解除すれば、図１６〜図１７に示すように、グローブ９３の自重により、受金具９８が保持金具９７の傾斜部９７ｂに沿って下方へ移動していき、自然に外れる。開口部９８ａが保持金具９７から抜けると仮吊用線材９９でグローブ９３が吊持され、この状態でランプ９２を交換することが可能になる。
【特許文献１】特開２０００−１３３０３２号公報
【発明の開示】
【発明が解決しようとする課題】
【０００９】
上記各実施形態に係るグローブ着脱構造は、細長い照明器具の一方の長辺部分に、器具本体９１とグローブ９３とを係脱する着脱側の係止手段が設けられ、他方の長辺部分に、グローブ９３を器具本体９１から吊持させうる吊持側の係止手段が設けられている。このような構造によると、器具の一方の長辺側からグローブ９３を取り外す操作を行って、他方の長辺側は、グローブ９３を開いたまま器具本体９１に吊持させ、その状態でランプ９２を交換して、再び上記一方の長辺側からグローブ９３を器具本体９１に係合させることができる。
【００１０】
しかしながら、上記各実施形態に示した着脱構造では、グローブ９３の一辺を器具本体９１から吊持させる状態において、グローブ９３を器具本体９１に連結させておくための部材（連結材９６ｄ、仮吊用線材９９等）が必要になるので、その分、機構が複雑になり、不経済でもある。
【００１１】
また、汚れたグローブ９３を器具本体９１から完全に取り外して清掃したい場合もあるが、このような場合、器具本体９１とグローブ９３とが連結材９６ｄや仮吊用線材９９等で連結されていると、これらの連結部材からグローブ９３を取り外したり、連結部材にグローブ９３を引っ掛け直したりする係脱作業が面倒になる。この係脱作業は、踏み台等に登って上方に手を伸ばし、片手でグローブ９３の下面を支えつつ、もう片方の手で連結部材を係脱するという態様になるが、上記のような連結部材を片手だけで係脱するのはきわめて困難である。
【００１２】
また、この種の照明器具においては、デザイン上の意図から器具本体９１をスリム化、薄型化することが好まれる傾向にあり、器具本体９１とグローブ９３との係脱手段を構成する部品についても、器具本体９１内で必要以上のスペースを取らないように小型化することが求められる。しかしながら、上記のように器具本体９１とグローブ９３との連結手段を採用する着脱構造では、連結部材を納めるためのスペースが必要になって、器具本体９１内のスペース活用効率が低下する。また、特に上記第５実施形態に係る構造では、図１５に示す断面形状からも明らかなように、器具本体９１の周縁壁部９１ａから内側に張り出す保持金具９７が、グローブ９３の側面に影を生じることになり、ランプ点灯時の外観が損なわれるおそれがある。
【００１３】
本願発明は、上記のような事情に鑑みてなされたもので、器具の長辺に対面する側方からの操作により、グローブの片側長辺部分を器具本体から取り外して開放状態で吊持させる操作と、グローブを器具本体から完全に分離する操作、及びそれらを元通りに取り付ける操作のいずれをも簡単に行うことのできる、使い勝手に優れたグローブ着脱構造を提供しようとするものであり、特に、上記操作を簡素な部品構成によって実現することを第一の解決課題とする。
【００１４】
併せて本発明は、器具全体を薄型化・スリム化するにあたって、係脱手段を構成する部品の影がグローブの側面に生じるのを防止することを第二の解決課題とする。
【課題を解決するための手段】
【００１５】
上記した目的を達成するため、本発明の照明器具のグローブ着脱構造は、器具本体が、天井面に沿って固定される平面視略長矩形の上底板と、上底板の四周から垂下する周縁壁部とを備え、上記器具本体の下側から上記器具本体に取着されるグローブが、上面側開口の四周から立ち上がって上記周縁壁部の内側に挿入される開口縁部を備え、器具本体の一方の長辺側周縁壁部に取り付けられた着脱側係止具に、グローブの一方の長辺側開口縁部に設けられた着脱側被係止具が係脱可能に係止されるとともに、器具本体の他方の長辺側周縁壁部に取り付けられた吊持側係止具に、グローブの他方の長辺側開口縁部に設けられた吊持側被係止具が、係脱可能かつ吊持可能に係止されるグローブ着脱構造であって、
上記吊持側係止具は、器具本体の周縁壁部から器具本体の内側に向かって略水平に張り出す載置段部と、載置段部の先端から斜め下方に傾斜する斜降部と、斜降部の先端を上方に折り返してなる抜け止め部とを備え、グローブの吊持側被係止具に設けられた係止用開口部が上記吊持側係止具に係止されて、グローブを器具本体に取着した状態では、グローブの吊持側被係止具が吊持側係止具の載置段部上に支承され、グローブを器具本体から吊持する状態では、吊持側被係止具が吊持側係止具の抜け止め部に係止されることを特徴とする。
【００１６】
この発明によれば、照明器具の一方の長辺側に設けられた着脱側係止具と着脱側被係止具との係合を解除して、グローブの当該一方の長辺側を器具本体から取り外し、そのままグローブを自重に任せて下方に開くと、器具本体の他方の長辺側に設けられた吊持側係止具にグローブの吊持側被係止具が吊持されて、そのままの状態で蛍光灯ランプを交換することができる。吊持状態にあるグローブを器具本体に取り付けるには、グローブの吊持側被係止具を、器具本体の吊持側係止具の斜降部に沿って滑らせるように持ち上げ、グローブの吊持側被係止具を吊持側係止具の載置段部に載せ掛けた状態でグローブを閉じ、着脱側係止具と着脱側被係止具とを係合させる。
【００１７】
グローブを器具本体から完全に取り外す場合には、上記吊持状態からグローブを僅かに持ち上げ、器具本体の吊持側係止具からグローブの吊持側被係止具を抜き取る。取り外したグローブを再び取り付ける場合には、上記と逆の手順で、器具本体の吊持側係止具にグローブの吊持側被係止具を引っ掛ける。これらの操作は、両手でグローブを支え持つだけで可能になるので、グローブ着脱作業の操作性や安全性が向上する。こうして、グローブの開閉及び着脱作業を容易にするとともに、器具本体とグローブとを連結するための部材を不要にし、構造の簡素化及び部品コストの節約を図ることができる。
【００１８】
本発明のグローブ着脱構造における着脱側係止具については、例えば、器具本体の側方に向けて突出する略鉤形の係止爪を備え、器具本体の側方からのレバー操作によって上記係止爪を器具本体の中心側に後退させ得るように、器具本体の上底部に沿って付勢状態で取り付けられたものとすることができる。このような着脱側係止具に、グローブ側の着脱側被係止具が係合される構造とすることにより、グローブの係脱が容易になる。
【００１９】
さらに本発明のグローブ着脱構造は、上記吊持側係止具の最下端が、器具本体に装着される直管蛍光灯ランプの軸心とグローブの側面最上部とを通る仮想平面よりも上方に位置することを特徴とする。この構成によると、吊持側係止具の影がグローブの側面に生じるのを避けることができ、器具を薄型化、スリム化した場合での、ランプ点灯時の外観が良好に保たれる。
【発明の効果】
【００２０】
上述のように構成される本発明のグローブ着脱構造によれば、一方の長辺側に設けられた着脱側係止具と着脱側被係止具との係合を解除してグローブを開くと、他方の長辺側に設けられた吊持側係止具にグローブの吊持側被係止具が吊持されるので、そのままの状態で蛍光灯ランプを交換することができる。吊持状態にあるグローブを閉じて器具本体に取り付けるのもきわめて容易である。また、グローブを器具本体から完全に取り外す場合でも、吊持状態にしたグローブを僅かに持ち上げて、器具本体の吊持側係止具からグローブの吊持側被係止具を抜き取るだけで済み、その逆の操作も容易である。こうして、グローブの開閉及び着脱作業が簡単になるのに加え、器具本体とグローブとを連結するための部材も不要になるので、構造の簡素化及び部品コストの節約を図ることができる。
【００２１】
さらに、吊持側係止具の斜降部の最下端を、器具本体に装着される直管蛍光灯ランプの軸心とグローブの側面最上部とを通る仮想平面よりも上方に位置させることにより、吊持側係止具の影がグローブの側面に生じるのを避けることができ、ランプ点灯時の外観が良好に保たれる。
【発明を実施するための最良の形態】
【００２２】
図１は、本発明のグローブ着脱構造を採用した照明器具の外観を示す斜視図であり、図２は、上記照明器具の器具本体、グローブ、蛍光灯ランプを分解した状態の斜視図、図３は、上記照明器具の短辺方向の断面図である。
【００２３】
例示の照明器具１は、例えばキッチンの天井面に等に設置される、薄型でスリムなタイプの照明器具１である。この照明器具１は、予め天井面に設置された略円筒形状の接続器Ｃに、器具本体２の中央に形成された取付用孔部２１を嵌装することによって取り付けられる。器具本体２は、天井面に沿って固定される平面視略長矩形の上底板２２と、上底板２２の四周から垂下する周縁壁部２３とを有している。上底板２２の上面両端近傍には、天井面との間に挟み込まれるパッキン材２４が貼設されている。上底板２２の下面両端近傍には、ソケット台座２５を介してランプソケット２６が取り付けられ、両ランプソケット２６の間に直管蛍光灯ランプ２７が取り付けられる。
【００２４】
器具本体２の下側には、透光性樹脂からなるグローブ３が着脱自在に取り付けられる。グローブ３は、図３に示すように、下面部３１、側面部３２、及び肩部３３と、上面側に形成された開口の四周から立ち上がる開口縁部３４とを備え、開口縁部３４の上縁には補強リブ３５が形成されている。
【００２５】
本発明のグローブ着脱構造は、照明器具１の一方の長辺部分（図３における右側部分）において器具本体２とグローブ３とを係脱する着脱側の係止手段と、他方の長辺部分（図３における左側部分）において器具本体２とグローブ３とを吊持可能に係脱する吊持側の係止手段とからなる。
【００２６】
図４〜図５は、着脱側の係止手段の構造を示す。着脱側の係止手段は、器具本体２の一方の長辺側周縁壁部２３に取り付けられた着脱側係止具４と、グローブ３の一方の長辺側開口縁部３４に設けられた着脱側被係止具５とによって構成される。例示の形態では、着脱側係止具４及び着脱側被係止具５は、器具本体２及びグローブ３にそれぞれ二カ所ずつ取り付けられている。
【００２７】
着脱側係止具４は、器具本体２の下面に取り付けられた係止具取付プレート４１、係止具取付プレート４１の下側に取り付けられたスライド金具４２、係止具取付プレート４１とスライド金具４２との間に掛止されたバネ部材４３、器具本体２の上底板２２を貫通してスライド金具４２に連結された操作レバー４４を有している。係止具取付プレート４１は、その縁部に形成された突起部４５を、器具本体２の上底板２２に形成された孔部（図示せず）に嵌挿されて、器具本体２に固定されている。器具本体２の上底板２２と係止具取付プレート４１には、器具本体２の横断方向に延びる長孔（図示せず）が形成され、この長孔に挿通されたビス部材４６を介して、スライド金具４２と操作レバー４４とが、器具本体２の上底板２２を間に挟んだ状態で連結されている。操作レバー４４の側部は、器具本体２の側方に突出している。スライド金具４２には、器具本体２の側方に向けて突出する略鉤形の係止爪４７が設けられている。係止爪４７の下縁は、器具本体２の内側に向けて斜降するように形成されている。スライド金具４２と係止具取付プレート４１との間には、コイルバネ等からなるバネ部材４３が掛止されており、このバネ部材４３の引張力によって、スライド金具４２が器具本体２の側方に向けて付勢状態で引き寄せされている。
【００２８】
一方、着脱側被係止具５は、グローブ３の開口縁部３４の内側にビス固定された基板部５１と、基板部５１の下縁から中心側に張り出した腕部５２と、腕部５２の先端から上方に立ち上がる係止枠部５３とを備え、図３に示すように、係止枠部５３の上辺が上記係止爪４７に係合するようになっている。係止枠部５３の上辺は、外側に向かって湾曲している。
【００２９】
このように構成された着脱側の係止手段によれば、グローブ３を持ち上げて、その開口縁部３４を器具本体２の周縁壁部２３の内側に押し込むことにより、着脱側被係止具５の係止枠部５３が、着脱側係止具４の係止爪４７を中心側に後退させながら係止爪４７に係合する。グローブ３を取り外す際には、器具本体２の側方から操作レバー４４を押し込むと、スライド金具４２が器具本体２の中心側に後退して、係止爪４７と係止枠部５３との係合が解除され、グローブ３が下方に落下する。
【００３０】
図６〜図７は、吊持側の係止手段の構造を示す。吊持側の係止手段は、器具本体２の他方の長辺側周縁壁部２３に取り付けられた吊持側係止具６と、グローブ３の他方の長辺側開口縁部３４に設けられた吊持側被係止具７とによって構成される。例示の形態では、吊持側係止具６及び吊持側被係止具７も、器具本体２及びグローブ３にそれぞれ二カ所ずつ取り付けられている。
【００３１】
吊持側係止具６は、器具本体２の上底板２２及び周縁壁部２３に沿ってビス固定された基部６１と、基部６１の下縁から器具本体２の中心側に略水平に張り出す載置段部６２と、載置段部６２の先端から斜め下方に傾斜する斜降部６３と、斜降部６３の先端を上方に折り返してなる抜け止め部６４とを備えている。一方、吊持側被係止具７は、グローブ３の開口縁部３４にビス固定された平板状の金具に係止用開口部７１を形成したものである。
【００３２】
このように構成された吊持側の係止手段によれば、上記着脱側の係止手段を解除した状態で、グローブ３側に取り付けられた吊持側被係止具７の係止用開口部７１を、器具本体２側に取り付けられた吊持側係止具６に引っ掛けて、吊持側被係止具７を吊持側係止具６の斜降部６３に沿って持ち上げ、吊持側被係止具７を吊持側係止具６の載置段部６２に載せ掛けることにより、グローブ３が器具本体２に係合される。その後、上記した着脱側の係止手段を係合させれば、グローブ３は器具本体２から脱落しないように保持される。
【００３３】
グローブ３を取り外す際には、まず、着脱側の係止手段を解除して、グローブ３の一辺を器具本体２から脱落させる。すると、グローブ３の自重により、吊持側被係止具７が吊持側係止具６の斜降部６３に沿って滑り落ち、抜け止め部６４に引っ掛かって、図８に示すようにグローブ３が開いた状態で吊持される。この吊持状態で蛍光灯ランプ２７を交換することができる。図９は、グローブ３の開閉軌跡を示す断面略図である。グローブ３を器具本体２から完全に取り外す場合には、上記吊持状態からグローブ３を僅かに持ち上げ、吊持側係止具６から吊持側被係止具７を抜き取る。こうして、きわめて簡単に、グローブ３の開閉及び着脱作業を行うことが可能になる。
【００３４】
さらに本発明の照明器具１のグローブ着脱構造においては、図３に示すように、吊持側係止具６の最下端が、器具本体２に装着される直管蛍光灯ランプ２７の軸心とグローブ３の側面最上部とを通る仮想平面Ｔよりも上方に位置するように構成されている。これにより、吊持側係止具６の影がグローブ３の側面部３２生じるのを避けることができ、ランプ点灯時の外観が良好に保たれる。
【００３５】
このように、本発明の照明器具のグローブ着脱構造は、部品構成が簡素であり、設置スペースも小さくて済むので、照明器具を薄型化、スリム化するには好都合である。ただし、例示した形態より幅や厚みの大きい照明器具についても適用することは可能であり、また、蛍光灯ランプを２灯以上装備する照明器具についても適用可能である。
【図面の簡単な説明】
【００３６】
【図１】本発明のグローブ着脱構造を採用した照明器具の外観を示す斜視図である。
【図２】上記照明器具の分解斜視図である。
【図３】上記照明器具の短辺方向断面図である。
【図４】上記照明器具の着脱側の係止手段を示す要部拡大斜視図である。
【図５】同じく、着脱側の係止手段を上方から見た要部拡大斜視図である。
【図６】上記照明器具の吊持側の係止手段を示す要部拡大斜視図である。
【図７】同じく、吊持状態にあるときの要部拡大斜視図である。
【図８】同じく、吊持状態にあるときの外観を示す斜視図である。
【図９】グローブの開閉状態の軌跡を示す断面略図である。
【図１０】従来技術に係るグローブ着脱構造を採用した照明器具の断面略図である。
【図１１】図１０の照明器具における着脱側の係止手段を示す要部斜視図である。
【図１２】図１０の照明器具における吊持側の係止手段を示す要部断面図である。
【図１３】図１０の照明器具におけるグローブの取り外し状態を示す断面略図である。
【図１４】図１０の照明器具におけるグローブの吊持状態を示す断面略図である。
【図１５】他の従来技術に係るグローブ着脱構造を採用した照明器具の断面略図である。
【図１６】図１５の照明器具におけるグローブの取り外し状態を示す断面略図である。
【図１７】図１５の照明器具におけるグローブの吊持状態を示す断面略図である。
【図１８】図１５の照明器具における吊持側の係止手段を示す要部斜視図である。
【符号の説明】
【００３７】
１    照明器具
２    器具本体
２２  上底板
３    グローブ
３２  周縁壁部
３４  開口縁部
４    着脱側係止具
４７  係止爪
５    着脱側被係止具
６    吊持側係止具
６２  載置段部
６３  斜降部
６４  抜け止め部
７    吊持側被係止具
７１  係止用開口部
Ｔ    仮想平面
【図１】
2006079945.tif 000003
【図２】
2006079945.tif 000004
【図３】
2006079945.tif 000005
【図４】
2006079945.tif 000006
【図５】
2006079945.tif 000007
【図６】
2006079945.tif 000008
【図７】
2006079945.tif 000009
【図８】
2006079945.tif 000010
【図９】
2006079945.tif 000011
【図１０】
2006079945.tif 000012
【図１１】
2006079945.tif 000013
【図１２】
2006079945.tif 000014
【図１３】
2006079945.tif 000015
【図１４】
2006079945.tif 000016
【図１５】
2006079945.tif 000017
【図１６】
2006079945.tif 000018
【図１７】
2006079945.tif 000019
【図１８】
2006079945.tif 000020